(57)【特許請求の範囲】
【請求項１】
広告情報を配信させるユーザまたは端末装置に関する条件を示す条件情報を満たすユーザまたは端末装置を特定する特定部と、
前記特定部によって特定されたユーザが使用する端末装置、または、前記特定部によって特定された端末装置を制御し、他の端末装置に対して前記条件情報に対応する配信情報を配信させる制御部と
を備え、
前記制御部は、前記特定部によって特定されたユーザが使用する端末装置、または、前記特定された端末装置と、当該端末装置が前記配信情報を配信する他の端末装置との位置関係の変動態様に基づいて、異なる前記配信情報を出力させるよう制御する
ことを特徴とする配信装置。
【請求項２】
前記特定部は、前記条件情報として受け付けられた行動傾向の条件を満たすユーザまたは端末装置を特定する、
ことを特徴とする請求項１に記載の配信装置。
【請求項３】
前記特定部によって特定されたユーザ、または、前記特定された端末装置のユーザに対する所定の報酬を算定する算定部
をさらに備えたことを特徴とする請求項１または２に記載の配信装置。
【請求項４】
前記算定部は、前記特定部によって特定されたユーザが使用する端末装置、または、前記特定された端末装置が前記配信情報を配信した回数、または、前記配信情報の配信を受け付けた他の端末装置の台数、または、前記配信情報の視聴回数の何れかに基づいて、前記特定部によって特定されたユーザまたは前記特定された端末装置を使用するユーザへの報酬を算定する、
ことを特徴とする請求項３に記載の配信装置。
【請求項５】
前記特定部は、前記条件情報として受け付けられた所在地若しくは時刻の条件のうち少なくとも何れか一方を満たすユーザまたは端末装置を特定する、
ことを特徴とする請求項１〜４の何れか１つに記載の配信装置。
【請求項６】
前記特定部は、前記ユーザによって予め決められている移動予定に基づいて、前記条件情報を満たす前記ユーザを特定する、
ことを特徴とする請求項１〜５の何れか１つに記載の配信装置。
【請求項７】
前記制御部は、前記配信情報として、可聴な音声を出力させる、
ことを特徴とする請求項１〜６のいずれか１つに記載の配信装置。
【請求項８】
前記制御部は、前記配信情報として、配信対象に関する情報を含む非可聴な音響信号を出力させる、
ことを特徴とする請求項１〜７のいずれか１つに記載の配信装置。
【請求項９】
コンピュータが実行する配信方法であって、
広告情報を配信させるユーザまたは端末装置に関する条件を示す条件情報を満たすユーザまたは端末装置を特定する特定工程と、
前記特定工程によって特定されたユーザが使用する端末装置、または、前記特定工程によって特定された端末装置を制御し、他の端末装置に対して前記条件情報に対応する配信情報を配信させる制御工程と
を含み、
前記制御工程は、前記特定工程によって特定されたユーザが使用する端末装置、または、前記特定された端末装置と、当該端末装置が前記配信情報を配信する他の端末装置との位置関係の変動態様に基づいて、異なる前記配信情報を出力させるよう制御する
ことを特徴とする配信装置。
【発明の詳細な説明】
【技術分野】
【０００１】
本発明は、配信装置、配信方法に関する。
【背景技術】
【０００２】
近年、サーバ装置から配信される動画や静止画などのコンテンツを再生して、商品を広告するデジタルサイネージが存在する。
【０００３】
また、デジタルサイネージ等の広告装置に搭載されている発音装置が、音声広告だけでなく、利用者が聞こえない周波数の音波を用いて、広告情報の送信を行う技術が知られている。
【先行技術文献】
【特許文献】
【０００４】
【特許文献１】特開２０１３−０９７６０３号公報
【特許文献２】特開２００１−３２０３３７号公報
【発明の概要】
【発明が解決しようとする課題】
【０００５】
しかしながら、上記の従来技術では、広告効果を高めることができるとは限らない。具体的には、上記の従来技術では、予め決められた場所において広告提供を行うに過ぎず、必ずしも広告主が望む相手に広告できるとは限らない。このため、上記の従来技術では、広告効果を高めることができるとは限らない。
【０００６】
本願は、上記に鑑みてなされたものであって、広告効果を高めることができる配信装置、配信方法を提供することを目的とする。
【課題を解決するための手段】
【０００７】
本願にかかる、配信装置は、ユーザまたは端末装置に関する条件を示す条件情報と、配信対象となる配信情報との入札を受け付ける入札受付部と、前記入札受付部によって受け付けられた条件情報を満たすユーザまたは端末装置を特定する特定部と、前記特定部によって特定されたユーザが使用する端末装置、または、前記特定部によって特定された端末装置を制御し、他の端末装置に対して前記条件情報に対応する配信情報を配信させる制御部とを備えたことを特徴とする。
【発明の効果】
【０００８】
実施形態の一態様によれば、広告効果を高めることができる効果を奏する。
【図面の簡単な説明】
【０００９】
【図１】図１は、実施形態にかかる配信処理の一例を示す図である。
【図２】図２は、実施形態にかかる広告配信端末の構成例を示す図である。
【図３】図３は、実施形態にかかる行動傾向記憶部の一例を示す図である。
【図４】図４は、実施形態にかかる広告入札装置の構成例を示す図である。
【図５】図５は、実施形態にかかる行動傾向記憶部の一例を示す図である
【図６】図６は、実施形態にかかる入札情報記憶部の一例を示す図である。
【図７】図７は、実施形態にかかる広告配信装置の構成例を示す図である。
【図８】図８は、実施形態にかかる広告情報記憶部の一例を示す図である。
【図９】図９は、実施形態にかかる配信実績記憶部の一例を示す図である。
【図１０】図１０は、実施形態にかかる広告受信端末の構成例を示す図である。
【図１１】図１１は、実施形態にかかる広告入札装置による広告入札処理手順を示すシーケンス図である。
【図１２】図１２は、実施形態にかかる広告入札装置及び広告配信装置による広告配信処理手順を示すシーケンス図である。
【図１３】図１３は、変形例にかかる配信処理の一例を示す図である。
【図１４】図１４は、広告入札装置の機能を実現するコンピュータの一例を示すハードウェア構成図である。
【発明を実施するための形態】
【００１０】
以下に、本願にかかる配信装置、配信方法を実施するための形態（以下、「実施形態」と呼ぶ）について図面を参照しつつ詳細に説明する。なお、この実施形態により本願にかかる広告装置、広告方法及び広告システムが限定されるものではない。また、以下の各実施形態において同一の部位には同一の符号を付し、重複する説明は省略される。
【００１１】
〔１．配信処理〕
まず、図１を用いて、実施形態にかかる配信処理の一例について説明する。図１は、実施形態にかかる配信処理の一例を示す図である。図１では、広告入札装置１００及び広告配信装置２００によって構成される配信装置によって、配信処理が行われる例を示す。
【００１２】
図１に示すように、配信システム１は、広告配信端末５と、広告主端末２０と、広告受信端末４０と、広告入札装置１００と、広告配信装置２００と、を含む。広告配信端末５と、広告主端末２０と、広告受信端末４０と、広告入札装置１００と、広告配信装置２００とは、ネットワークを介して有線または無線により通信可能に接続される。なお、図１に示す配信システム１には、複数台の広告配信端末５や、複数台の広告主端末２０や、複数台の広告受信端末４０が含まれてよい。
【００１３】
広告配信端末５及び広告受信端末４０は、ユーザによって利用される端末装置である。広告配信端末５及び広告受信端末４０は、例えば、スマートフォンなどの携帯電話機や、タブレット端末や、ＰＤＡ（Personal  Digital  Assistant）や、デスクトップ型ＰＣ（Personal  Computer）や、ノート型ＰＣ等である。また、広告配信端末５及び広告受信端末４０には、後述する実施形態にかかる所定のアプリケーション（以下、「アプリ」と表記する場合がある）がインストールされる。
【００１４】
広告主端末２０は、広告主によって利用される端末装置である。広告主端末２０は、例えば、スマートフォンなどの携帯電話機や、タブレット端末や、ＰＤＡや、デスクトップ型ＰＣや、ノート型ＰＣ等である。
【００１５】
ここで、広告配信端末５は、広告媒体（例えば、パネル看板、デジタルサイネージ等）の代わりとなって周囲のユーザ端末、すなわち、広告受信端末４０に対して所定の広告を配信する役割を担う。
【００１６】
例えば、広告配信端末５のユーザは、所定のアプリを、自身の広告配信端末５にインストールする。そして、広告配信端末５のユーザは、そのアプリを用いて各種登録操作を行うことによって、後述する広告情報の出力が可能となる。
【００１７】
そして、上述してきた配信システム１において、広告入札装置１００は、広告配信端末５のユーザに関する所在地と行動傾向に関する条件を受け付け、受け付けた条件に応じて、広告情報の出力制御を行う。以下では、この具体的な処理について説明する。
【００１８】
最初に、実施形態にかかる配信処理のうち、入札に関する処理について説明する。まず、広告入札装置１００は、広告配信端末５が有する任意のセンサが取得した情報に基づいて、広告配信端末５のユーザの行動傾向を取得する（ステップＳ１１）。
【００１９】
ここで、行動傾向は、広告配信端末５によって広告配信端末５が有する各種機能に基づき検出される。例えば、行動傾向は、ＧＰＳセンサ、ジャイロセンサ、温度センサ、気圧センサ、カメラ等任意のセンサが取得した情報や、近距離無線通信や外部のジオタグ等を用いた位置検出技術等、外部の装置と協調して広告配信端末５が取得した任意の情報に基づいて検出される。例えば、行動傾向は、ＧＰＳ（Global  Positioning  System）を用いた位置特定機能や、電子マネーによる決済機能や、カメラを用いた二次元コード（ＱＲコード（登録商標））読取機能などの履歴に基づいて検出されてもよい。また、広告配信端末５は、広告配信端末５のブラウザにより閲覧されたウェブページの閲覧履歴に基づき、行動情報を検出してもよい。
【００２０】
なお、上述した例は、あくまで一例であり、広告配信端末５は、今後備えられる新たなセンサ等、行動傾向を特定する際に流用可能な情報を取得する任意のセンサを用いて、行動情報を検出することができる。また、例えば、行動傾向は、広告配信端末５が有するセンサ情報以外にも、広告配信端末装置５を利用する利用者に付与される利用者ＩＤ等の識別子と紐付けられた閲覧履歴や購買履歴等のログ、広告配信端末装置５を利用する利用者が登録した利用者の属性や行動情報、利用者がブログ等に投稿した内容等に基づいて、検出されてもよい。また、行動傾向は、上述した任意の情報を適宜組み合わせて検出されてもよい。すなわち、行動傾向は、利用者の行動を示す任意の情報に基づいて検出されるものとする。
【００２１】
例えば、広告配信端末５は、ＧＰＳから特定される現在位置によりユーザの生活圏に関する行動傾向を検出することができ、買物履歴やウェブページ閲覧履歴からはユーザの趣味嗜好に関する行動傾向を検出することができる。
【００２２】
ここでは、広告入札装置１００は、広告配信端末５から「外食することが多い」といった行動傾向を取得したとする。そして、広告入札装置１００は、広告配信端末５から取得した行動傾向を広告主端末２０に提示することにより（ステップＳ１２）、広告配信に関する条件情報を受け付ける。具体的には、広告入札装置１００は、条件情報として、広告配信端末５のユーザの所在地に関する条件（配信場所）と、広告配信端末５のユーザの行動傾向に関する条件を広告主端末２０から受け付ける（ステップＳ１３）。ここでは、広告入札装置１００は、広告主端末２０から「所在地：六本木、行動傾向条件：外食することが多い」といった条件情報を受け付けたとする。
【００２３】
なお、広告入札装置１００は、入札により報酬情報や広告情報（音声データやプッシュ情報等を含む）も広告主端末２０から受け付け、受け付けた報酬情報と広告情報を広告配信装置２００へ送信する。
【００２４】
続いて、実施形態にかかる広告処理のうち、広告配信に関する処理について説明する。まず、広告入札装置１００は、広告配信端末５のユーザの所在地を取得する（ステップＳ１４）。そして、広告入札装置１００は、広告配信端末５のユーザの所在地及び行動傾向と、広告主端末２０から受け付けた条件情報とのマッチングを行うことにより、かかる条件情報を満たす広告配信端末５を広告配信許可端末として特定する（ステップＳ１５）。
【００２５】
例えば、広告配信端末５のユーザの所在地が「六本木」であるとすると、広告入札装置１００は、マッチングにより、広告配信端末５のユーザ情報である「所在地：六本木、行動傾向：外食することが多い」が、広告主端末２０から受け付けた条件情報の「配信場所：六本木、行動傾向条件：外食することが多い」を満たすことから、広告配信端末５を配信許可端末として特定する。
【００２６】
そして、広告入札装置１００は、配信許可端末として特定した広告配信端末５に、対応する広告情報を出力させるための出力制御を行う。具体的には、広告入札装置１００は、特定した広告配信端末５に対応する条件情報及び広告情報を識別する広告ＩＤと、特定したユーザや広告配信端末５を識別するユーザＩＤとを対応付けて広告配信装置２００へ送信する（ステップＳ１６）。
【００２７】
広告配信装置２００は、広告入札装置１００から受信した広告ＩＤを、広告入札装置１００から受信したユーザＩＤに対応する広告配信端末５に送信する（ステップＳ１７）。そして、広告配信端末５は、受信した広告ＩＤと自身のユーザＩＤとを組み込んだ音響信号を出力する（ステップＳ１８）。
【００２８】
ここで、広告配信端末５から所定の範囲内にある広告受信端末４０は、かかる音響信号を受信した場合に、音響信号に含まれる広告ＩＤを特定し、特定した広告ＩＤに対応する広告情報を広告配信装置２００から取得する（ステップＳ１９）。具体的には、広告受信端末４０は、広告要求として、特定した広告ＩＤを広告配信装置２００へ送信する。これに対して、広告配信装置２００は、受信した広告ＩＤに対応する広告情報を広告受信端末４０へ送信する。そして、広告受信端末４０は、受信した広告情報をプッシュ通知する（ステップＳ２０）。
【００２９】
また、広告配信装置２００は、広告受信端末４０から広告配信端末５のユーザＩＤと、広告ＩＤを取得することによって、ユーザＩＤに対して、広告受信端末４０に表示された広告情報の回数を広告ＩＤ毎にカウントする（ステップＳ２１）。そして、広告配信装置２００は、表示回数に応じた報酬を広告配信端末５に与える（ステップＳ２２）。
【００３０】
なお、図示していないが、広告配信端末５は多数存在し、広告入札装置１００は、各広告配信端末５から行動傾向を取得している。つまり、広告入札装置１００は、各広告配信端末５のうち、広告主から受け付けた条件情報を満たす所在地及び行動傾向を有する広告配信端末５が存在すれば、かかる広告配信端末５を広告配信許可端末として特定することになる。
【００３１】
このように、広告入札装置１００は、広告配信端末５のユーザの行動傾向を広告主に提示することにより、広告配信端末５のユーザの所在地（配信場所）と、広告配信端末５のユーザの行動傾向の条件を受け付ける。そして、広告入札装置１００は、広告配信端末５のユーザの所在地及び行動傾向と、広告主から受け付けた条件情報とのマッチングを行うことにより、条件情報を満たす広告配信端末５を特定する。そして、広告入札装置１００は、特定した広告配信端末５に、対応する広告情報を出力させるための出力制御を行う。これにより、広告入札装置１００は、より広告主が望む相手に広告が配信され易くすることができるため、広告効果を高めることができる。例えば、六本木で飲食店を経営する広告主が広告配信を依頼する場合、配信場所として「六本木」に加え、行動傾向「外食することが多い」を合わせて選定したとする。これらの条件を満たす広告配信端末５ユーザは、六本木において、飲食店街や百貨店等に立ち寄ることが考えられる。そして、このような場所には、多くの人が集まっていることに加え、飲食店を探している人も多数存在する可能性が高いため、単に六本木の所定の場所で広告配信されるよりも高い広告効果を期待できる。また、ユーザ端末が広告設備の役割を担っているため、移動することから通常のパネル式看板等よりも広範囲に広告することもでき、また、広告設備の無駄を防ぐこともできる。
【００３２】
〔２−１．広告配信端末の構成〕
次に、図２を用いて、実施形態にかかる広告配信端末５について説明する。図２は、実施形態にかかる広告配信端末５の構成例を示す図である。図２に示すように、広告配信端末５は、通信部６と、入力部７と、情報出力部８と、ＧＰＳ９と、行動傾向記憶部１０と、アプリ制御部１１とを有する。
【００３３】
通信部６は、例えば、ＮＩＣ（Network  Interface  Card）等によって実現される。そして、通信部１１０は、ネットワークと有線または無線で接続される。
【００３４】
入力部７は、ユーザから各種操作を受け付ける入力装置である。例えば、入力部７は、キーボードやマウスや操作キー等によって実現される。情報出力部８は、各種情報を表示するための表示装置である。例えば、情報出力部８は、液晶ディスプレイ等によって実現される。なお、広告配信端末５にタッチパネルが採用される場合には、入力部７と情報出力部８とは一体化される。ＧＰＳ９は、ＧＰＳ衛星と通信するＧＰＳ送受信機能を有し、広告配信端末５の位置情報を取得する。
【００３５】
行動傾向記憶部１０は、例えば、ＲＡＭ（Random  Access  Memory)、フラッシュメモリ（Flash  Memory）等の半導体メモリ素子、または、ハードディスク、光ディスク等の記憶装置によって実現される。そして、行動傾向記憶部１０は、広告配信端末５のユーザに関する各種行動傾向を記憶する。ここで、図３に、実施形態にかかる行動傾向記憶部１０の一例を示す。図３に示した例では、行動傾向記憶部１０は、「ユーザＩＤ」に、「行動傾向」を対応付けて記憶する。
【００３６】
「ユーザＩＤ」は、広告配信端末５または広告配信端末５のユーザを識別するための識別情報を示す。「行動傾向」は、広告配信端末５のユーザの行動傾向を示し、検出部１３によって検出される。
【００３７】
すなわち、図３では、例えば、ユーザＩＤ「Ｕ０１」によって識別されるユーザは、自身の広告配信端末５によって、「いつも優柔不断」、「繁華街をうろうろする傾向がある」、「化粧品を頻繁に買う」といった行動傾向が検出されていることを示す。
【００３８】
図２に戻って説明を続ける。アプリ制御部１１は、例えば、ＣＰＵ（Central  Processing  Unit）やＭＰＵ（Micro  Processing  Unit）等によって、アプリがＲＡＭ（Random  Access  Memory）を作業領域として実行されることにより実現される。また、アプリ制御部１１は、例えば、ＡＳＩＣ（Application  Specific  Circuit）やＦＰＧＡ（Field  Programmable  Gate  Array）等の集積回路により実現される。
【００３９】
アプリ制御部１１は、表示制御部１２と、検出部１３と、受信部１４と、出力部１５とを有し、以下に説明する情報処理の機能や作用を実現または実行する。なお、アプリ制御部１１の内部構成は、図２に示した構成に限られず、後述する情報処理を行う構成であれば他の構成であってもよい。また、アプリ制御部１１が有する各処理部の接続関係は、図２に示した接続関係に限られず、他の接続関係であってもよい。
【００４０】
なお、アプリ制御部１１は、広告配信端末５にインストールされているアプリケーションによって実行制御される。
【００４１】
表示制御部１２は、入力部７によって受け付けられた各種操作に応じて、情報出力部８に各種情報の表示制御を行う。また、表示制御部１２は、例えば、ユーザ情報を入力するためのアプリ専用の入力画面から入力されたユーザ情報を図示しない記憶部へ格納する。
【００４２】
検出部１３は、広告配信端末５が有する各種機能に基づき、広告配信端末５のユーザの行動傾向を検出する。各種機能とは、例えば、ＧＰＳを用いた位置特定機能や、電子マネーによる決済機能や、カメラを用いた二次元コード（ＱＲコード（登録商標））読取機能、目覚ましタイマー等である。また、検出部１３は、広告配信端末５のブラウザにより閲覧されたウェブページの閲覧履歴、買物履歴、通話履歴（内容）に基づき、行動情報を検出してもよい。また、検出部１３は、広告配信端末５のユーザによって、アドレス帳等に事前に登録された情報に基づいて、行動情報を検出してもよいし、各種ログを取得することにより、行動情報を検出してもよい。また、検出部１３は、広告配信端末５のような端末装置に現在付されているセンサのみならず、将来付される任意のセンサを用いて、行動履歴を検出することができる。
【００４３】
そして、検出部１３は、検出した行動傾向を行動傾向記憶部１０に格納する。検出部１３は、図３に示すように、「いつも優柔不断」といったユーザの性格に基づく行動傾向、「繁華街をうろうろする傾向がある」といった習慣に基づく行動傾向、「化粧品を頻繁に買う」といった趣味嗜好に基づく行動傾向というように、ユーザの行動傾向を様々なカテゴリ別に複数検出されてよい。
【００４４】
例えば、性格に基づく行動傾向であれば、検出部１３は、ＧＰＳにより測定されたユーザの歩行速度に基づいて検出することが考えられる（速ければ「せっかち」等）。また、習慣に基づく行動傾向であれば、検出部１３は、タイマーに基づいて検出することが考えられる（毎日、早起きする傾向がある等）。また、趣味嗜好に基づく行動傾向であれば、検出部１３は、ウェブページ閲覧履歴、買物履歴に基づき検出することが考えられる（毎晩、車に関する調べ物をする等）。なお、これらは一例であり、検出部１３は、例えば、性格に基づく行動傾向を必ずしもＧＰＳを利用して検出する必要はない。すなわち、検出部１３は、上述した各種機能等から得られた情報に基づき、総合的に判断することによって、行動傾向を検出するものであってよい。
【００４５】
受信部１４は、広告配信装置２００によって送信された広告ＩＤを受信する。また、出力部１５は、受信部１４から広告ＩＤを受け付けた場合に、かかる広告ＩＤと自身のユーザＩＤとを組み込んだ音響信号を出力する。なお、受信部１４は、広告配信装置２００から広告データそのものを受信した場合には、かかる広告データを組み込んだ音響信号を出力してもよい。
【００４６】
〔２−２．広告入札装置の構成〕
次に、図４を用いて、実施形態にかかる広告入札装置１００について説明する。図４は、実施形態にかかる広告入札装置１００の構成例を示す図である。図４に示すように、広告入札装置１００は、通信部１１０と、記憶部１２０と、制御部１３０とを有する。
【００４７】
通信部１１０は、例えば、ＮＩＣ等によって実現される。そして、通信部１１０は、ネットワークと有線または無線で接続される。
【００４８】
記憶部１２０は、例えば、ＲＡＭ、フラッシュメモリ等の半導体メモリ素子、または、ハードディスク、光ディスク等の記憶装置によって実現される。図４に示すように、記憶部１２０は、行動傾向記憶部１２１と、入札情報記憶部１２２とを有する。
【００４９】
行動傾向記憶部１２１は、広告配信端末５のユーザに関する各種行動傾向を記憶する。ここで、図５に、実施形態にかかる行動傾向記憶部１２１の一例を示す。図５に示した例では、行動傾向記憶部１２１は、「ユーザＩＤ」、「行動傾向」といった項目を有する。具体的には、行動傾向記憶部１２１は、広告入札装置１００の取得部１３１によって各地の広告配信端末５から取得された行動傾向を、各広告配信端末５のユーザＩＤに対応付けて記憶する。
【００５０】
すなわち、図５では、広告入札装置１００は、ユーザＩＤ「Ｕ０１」によって識別される広告配信端末５からは、「いつも優柔不断、繁華街をうろうろする傾向がある、頻繁に化粧品を買う」といった行動傾向を取得した例を示す。
【００５１】
入札情報記憶部１２２は、入札情報を記憶する。具体的には、入札情報記憶部１２２は、広告主端末２０から入札として受け付けた広告配信端末５のユーザまたは広告配信端末５に関する条件を示す条件情報を記憶する。広告配信端末５のユーザまたは広告配信端末５に関する条件を示す条件情報とは、すなわち、広告主によって選定される広告配信に関する配信条件である。ここで、図６に、実施形態にかかる入札情報記憶部１２２の一例を示す。図６に示した例では、入札情報記憶部１２２は、広告ＩＤに、「所在地（配信場所）」と「行動傾向」とを対応付けて記憶する。なお、実施形態では、広告入札装置１００は、広告配信端末５のユーザまたは広告配信端末５に関する条件を示す条件情報のうち、広告配信端末５のユーザに関する条件を示す条件情報を受け付ける場合について説明する。
【００５２】
「広告ＩＤ」は、入札情報及び広告情報を識別するための識別情報を示す。「所在地」は、広告配信端末５のユーザの所在地であり、広告主によって広告の配信条件として選定される配信場所の条件に対応する。「行動傾向の条件」は、広告配信端末５のユーザに基づく行動傾向のうち、広告主によって配信条件として選定される行動傾向の条件である。
【００５３】
すなわち、図６では、広告ＩＤ「Ｃ０１」に対応する広告主は、「渋谷」に所在し、かつ、行動傾向に関するユーザ情報として、「いつも優柔不断、繁華街をうろうろする傾向がある、頻繁に化粧品を買う」を有する広告配信端末５に、自身の広告を出力させるように、広告入札装置１００に対して指定していることを示す。
【００５４】
図４に戻って説明を続ける。制御部１３０は、例えば、ＣＰＵやＭＰＵ等によって、広告入札装置１００の内部の記憶装置に記憶されている各種プログラム（広告入札プログラムの一例に相当）がＲＡＭを作業領域として実行されることにより実現される。また、制御部１３０は、例えば、ＡＳＩＣやＦＰＧＡ等の集積回路により実現される。
【００５５】
図４に示すように、制御部１３０は、取得部１３１と、入札受付部１３２と、特定部１３３と、出力制御部１３４とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００５６】
取得部１３１は、広告配信端末５から行動傾向を取得する。具体的には、取得部１３１は、広告配信端末５の行動傾向記憶部１０に記憶されている行動傾向を取得する。例えば、取得部１３１が、広告配信端末５に対して問い合わせることで取得してもよいし、広告配信端末５から定期的に送信されてもよい。そして、取得部１３１は、取得した行動傾向を行動傾向記憶部１２１に格納する。
【００５７】
なお、行動傾向は、広告配信端末５の検出部１３によって検出される例を示したが、広告入札装置１００によって検出されてもよい。この場合、広告入札装置１００は、広告配信端末５からＧＰＳ等の各種機能のログを取得し、そのログ情報に基づいて、行動傾向を検出してもよい。また、広告入札装置１００は、広告配信端末５に記憶されるユーザ情報や各種履歴を取得することで、行動傾向を検出してもよい。また、広告入札装置１００は、取得したログ情報やユーザ情報等に基づいて、総合的に判断することによって、行動傾向を検出してもよい。
【００５８】
入札受付部１３２は、広告主端末２０から入札として、広告配信端末５のユーザまたは広告配信端末５に関する条件を示す条件情報を受け付け、受け付けた条件情報を入札情報記憶部１２２に格納する。上述したように、広告配信端末５のユーザまたは広告配信端末５に関する条件とは、広告主によって設定される広告配信に関する配信条件である。
【００５９】
まず、入札受付部１３２は、行動傾向記憶部１２１から行動情報を取得し、広告主端末２０に提示する。ここでは、入札受付部１３２は、図５に示すように、行動傾向記憶部１２１に記憶される各広告配信端末５の行動情報をそのまま提示する例を示す。このとき、入札受付部１３２は、広告主に対して、行動情報を広告配信端末５毎に選択できるようにする。また、入札受付部１３２は、配信場所となる広告配信端末５のユーザの所在地に関して、例えば、その一覧を提示することにより、広告主に選択させる。なお、ここで提示される所在地一覧は、リアルタイム情報とすることで、広告主の関心をより高めることができる。
【００６０】
また、入札受付部１３２は、入札情報として、広告データ等を含む広告情報や、広告配信端末５のユーザに対する報酬の条件である報酬情報も広告主から受け付ける。そして、入札受付部１３２は、受け付けた広告情報と報酬情報とを広告配信装置２００へ送信する。なお、広告情報は、配信情報と読み替えることができるものとする。
【００６１】
特定部１３３は、入札受付部１３２によって受け付けられた条件情報を満たす広告配信端末５のユーザまたは広告配信端末５を特定する。具体的には、特定部１３３は、広告配信端末５のユーザの所在地及び行動傾向と、広告主端末２０から受け付けた条件情報とのマッチングを行うことにより、かかる条件情報を満たすユーザの広告配信端末５を広告配信許可端末として特定する。
【００６２】
まず、特定部１３３は、各地の広告配信端末５からその位置情報、すなわち、各広告配信端末５のユーザの所在地を取得する。そして、特定部１３３は、取得した所在地と、行動傾向記憶部１２１に記憶される行動傾向とを、その広告配信端末５のユーザＩＤに対応付ける。そして、特定部１３３は、ユーザＩＤ毎にまとめた所在地及び行動傾向と、入札情報記憶部１２２に記憶される条件情報（所在地及び行動傾向の条件）とのマッチングを行う。そして、特定部１３３は、かかる条件情報を満たすユーザの広告配信端末５を広告配信許可端末として特定する。
【００６３】
ここで、上述した特定部１３３によるマッチングについて、図５及び図６を用いて説明する。例えば、特定部１３３は、ユーザＩＤ「Ｕ０１」によって識別される広告配信端末５において、そのユーザの所在地として「渋谷」を取得したとする。ここで、特定部１３３は、図５に示す行動傾向記憶部１２１を用いて、「ユーザＩＤ：Ｕ０１、所在地：渋谷、行動情報：いつも優柔不断、繁華街をうろうろする傾向がある、頻繁に化粧品を買う」を確定する。また、特定部１３３は、同様の処理を広告配信端末５毎に行う。
【００６４】
続いて、特定部１３３は、ユーザＩＤ毎にまとめた所在地及び行動傾向と、入札情報記憶部１２２に記憶される所在地（配信場所）及び行動傾向の条件とのマッチングを行う。ここで、図６によると、「ユーザＩＤ：Ｕ０１、所在地：渋谷、行動情報：いつも優柔不断、繁華街をうろうろする傾向がある、頻繁に化粧品を買う」と、「広告ＩＤ：Ｃ０１、所在地：渋谷、行動情報：いつも優柔不断、繁華街をうろうろする傾向がある、頻繁に化粧品を買う」が一致する。よって、特定部１３３は、広告ＩＤ「Ｃ０１」によって識別される条件情報を、ユーザＩＤ「Ｕ０１」によって識別される広告配信端末５（以下、端末「Ｕ０１」と表記する場合がある）が満たすことから、端末「Ｕ０１」を広告配信許可端末として特定する。
【００６５】
図４に戻って説明を続ける。出力制御部１３４は、特定部１３３によって特定された広告配信端末５を制御し、他の端末装置に対して、かかる条件情報に対応する広告情報に関する情報を配信させるよう制御する制御部である。具体的には、出力制御部１３４は、特定部１３３によって広告配信許可端末として特定された広告配信端末５に対応する条件情報の広告ＩＤと、かかる広告配信端末５のユーザＩＤとを対応付けて広告配信装置２００へ送信する。
【００６６】
上述したように、決定部１３３によって、広告ＩＤ「Ｃ０１」の条件情報を満たす広告配信端末５が端末「Ｕ０１」であると特定された例について説明すると、出力制御部１３４は、識別子である「Ｃ０１」と「Ｕ０１」とを広告配信装置２００へ送信する。
【００６７】
〔２−３．広告配信装置の構成〕
次に、図７を用いて、実施形態にかかる広告配信装置２００について説明する。図７は、実施形態にかかる広告配信装置２００の構成例を示す図である。図７に示すように、広告配信装置２００は、通信部２１０と、記憶部２２０と、制御部２３０とを有する。
【００６８】
通信部２１０は、例えば、ＮＩＣ等によって実現される。そして、通信部２１０は、ネットワークと有線または無線で接続される。
【００６９】
記憶部２２０は、例えば、ＲＡＭ、フラッシュメモリ等の半導体メモリ素子、または、ハードディスク、光ディスク等の記憶装置によって実現される。図７に示すように、記憶部２２０は、広告情報記憶部２２１と、配信実績記憶部２２２とを有する。
【００７０】
広告情報記憶部２２１は、広告に関する各種情報を記憶する。具体的には、広告情報記憶部２２１は、広告配信装置２００の受信部２３１が広告入札装置１００から受け付けた広告情報を記憶する。ここで、図８に、実施形態にかかる広告情報記憶部２２１の一例を示す。図８に示した例では、広告情報記憶部２２１は、「広告ＩＤ」、「配信ターゲット」、「広告データ」、「報酬情報」といった項目を有する。
【００７１】
「広告ＩＤ」は、入札情報及び広告情報を識別するための識別情報を示す。「配信ターゲット」は、各広告情報の配信対象となるユーザのユーザ属性を示す。「広告データ」は、広告受信端末４０によってプッシュ通知される広告に関するデータであり、例えば、テキストデータやＵＲＬ等の各種データが含まれる。「報酬情報」は、広告受信端末４０に広告データが表示された回数において、１回あたりの報酬量を示す。
【００７２】
すなわち、図８では、広告ＩＤ「Ｃ０１」に対応する広告主は、ユーザ属性「女性」を有する広告受信端末４０に、「Ａ百貨店、本日、レディースデイ！」といったプッシュ通知を行わせるよう指定していることを示す。また、広告ＩＤ「Ｃ０１」に対応する広告主は、かかるプッシュ通知が広告受信端末４０に一回表示される毎に、対応する広告配信端末５のユーザに１０ポイント与えることを示す。
【００７３】
配信実績記憶部２２２は、各広告配信端末５によって出力された広告情報が、広告受信端末４０によってプッシュ表示された回数を、広告毎に記憶する。ここで、図９に、実施形態にかかる配信実績記憶部２２２の一例を示す。図９に示した例では、配信実績記憶部２２２は、「ユーザＩＤ」、「広告ＩＤ」、「出力日時」、「表示回数」といった項目を有する。つまり、配信実績記憶部２２２は、各広告配信端末５のユーザＩＤに、広告ＩＤと、出力日時と、表示回数とを対応付けて記憶する。
【００７４】
「ユーザＩＤ」は、広告入札装置１００の特定部１３３によって、広告配信許可端末として特定された広告配信端末５またはそのユーザを識別するための識別情報を示す。「広告ＩＤ」は、かかる広告配信端末５に対応する入札情報及び広告情報を識別するための識別情報を示す。「出力日時」は、広告配信端末５によって広告情報が出力された時間を示す。「表示回数」は、広告情報が表示された回数を示す。
【００７５】
すなわち、図９では、所定の時間において、ユーザＩＤ「Ｕ０１」によって識別される広告配信端末５から出力された広告情報「Ｃ０１」は、広告受信端末４０に１０回プッシュ表示されたことを示す。なお、ここでの表示回数は、各広告受信端末４０毎に表示された回数の合計回数である。例えば、広告配信端末５周辺に広告受信端末４０が２個存在していたとし、所定の時間に広告受信端末４０それぞれが１回プッシュ表示したとすると、表示回数は２回となる。また、例えば、同日において時間経過後、かかる広告受信端末４０それぞれが１回プッシュ表示したとすると、その日の表示回数は４回となる。
【００７６】
図７に戻って説明を続ける。制御部２３０は、例えば、ＣＰＵやＭＰＵ等によって、広告入札装置１００の内部の記憶装置に記憶されている各種プログラム（広告配信プログラムの一例に相当）がＲＡＭを作業領域として実行されることにより実現される。また、制御部２３０は、例えば、ＡＳＩＣやＦＰＧＡ等の集積回路により実現される。
【００７７】
図７に示すように、制御部２３０は、受信部２３１と、送信部２３２と、算定部２３３とを有し、以下に説明する情報処理の機能や作用を実現または実行する。なお、制御部２３０の内部構成は、図７に示した構成に限られず、後述する情報処理を行う構成であれば他の構成であってもよい。また、制御部２３０が有する各処理部の接続関係は、図７に示した接続関係に限られず、他の接続関係であってもよい。
【００７８】
受信部２３１は、広告入札装置１００の入札受付部１３２から送信される広告情報を受信する。そして、受信部２３１は、受信した広告情報を広告情報記憶部２２１に格納する。また、受信部２３１は、広告入札装置１００の出力制御部１３４から送信される広告ＩＤ及びユーザＩＤを受信する。そして、受信部２３１は、受信したユーザＩＤに広告ＩＤを対応付けて配信実績記憶部２２２に格納する。また、受信部２３１は、受信した広告ＩＤを送信部２３２に渡す。
【００７９】
送信部２３２は、受信部２３１から受け付けた広告ＩＤを、かかる広告ＩＤに対応するユーザＩＤによって識別される広告配信端末５に送信する。なお、送信部２３２は、広告ＩＤではなく広告ＩＤに対応する広告データそのものを送信してもよい。
【００８０】
算定部２３３は、所定の報酬を算定する。具体的には、算定部２３３は、広告入札装置１００の入札受付部１３２によって受け付けられた報酬情報に基づいて、広告配信端末５のユーザに対する報酬を算定する。さらに具体的には、算定部２３３は、特定部によって特定された広告配信端末５による広告情報の出力（配信）回数、または、出力された広告情報を受信した広告受信端末４０の台数、または、かかる広告受信端末４０のユーザが視聴した回数の何れかに基づいて、報酬を算定する。ここでは、算定部２３３は、広告配信端末５によって出力された広告情報を受信した広告受信端末４０の台数、すなわち、広告配信端末５によって出力された広告情報が、広告受信端末４０によってプッシュ表示された回数に基づいて、報酬を算定する例について説明する。
【００８１】
ここで、かかる算定処理を説明するために、まず図２を用いて、前提となる処理について説明する。図２で示したように、広告配信端末５の出力部１５は、広告配信装置２００の送信部２３２によって送信された広告ＩＤと自身のユーザＩＤとを組み込んだ音響信号を出力する。そして、広告受信端末４０は、かかる音響信号を受信した場合に、音響信号に組み込まれた広告ＩＤと広告配信端末５のユーザＩＤとを特定する。そして、広告受信端末４０は、特定した広告ＩＤに対応する広告情報を広告配信装置２００から取得するために、その広告ＩＤを広告配信装置２００へ送信する。
【００８２】
このとき、算定部２３３は、広告受信端末４０から広告ＩＤと共に、広告配信端末５のユーザＩＤも取得する。そして、算定部２３３は、図９に示す配信実績記憶部２２２において、取得したユーザＩＤと広告ＩＤに対応する表示回数欄に表示回数を乗算してゆく。そして、算定部２３３は、表示回数と、広告情報記憶部２２１に記憶される報酬情報のうち対応する広告ＩＤの報酬情報とに基づいて、報酬を算定する。そして、算定部２３３は、算定結果に基づく報酬を、対応するユーザＩＤによって識別される広告配信端末５へ送信する。
【００８３】
〔２−４．広告受信端末の構成〕
次に、図１０を用いて、実施形態にかかる広告受信端末４０について説明する。図１０は、実施形態にかかる広告受信端末４０の構成例を示す図である。図１０に示すように、広告受信端末４０は、通信部４１と、入力部４２と、出力部４３と、アプリ制御部４４とを有する。
【００８４】
通信部４１は、例えば、ＮＩＣ等によって実現される。そして、通信部４１は、ネットワークと有線または無線で接続される。
【００８５】
入力部４２は、ユーザから各種操作を受け付ける入力装置である。例えば、入力部４２は、キーボードやマウスや操作キー等によって実現される。出力部４３は、各種情報を表示するための表示装置である。例えば、出力部４３は、液晶ディスプレイ等によって実現される。なお、広告受信端末４０にタッチパネルが採用される場合には、入力部４２と出力部４３とは一体化される。
【００８６】
アプリ制御部４４は、例えば、ＣＰＵやＭＰＵ等によって、アプリがＲＡＭを作業領域として実行されることにより実現される。また、アプリ制御部４４は、例えば、ＡＳＩＣやＦＰＧＡ等の集積回路により実現される。
【００８７】
アプリ制御部４４は、表示制御部４５と、受信部４６と、取得部４７と、判定部４８とを有し、以下に説明する情報処理の機能や作用を実現または実行する。なお、アプリ制御部４４の内部構成は、図１０に示した構成に限られず、後述する情報処理を行う構成であれば他の構成であってもよい。また、アプリ制御部４４が有する各処理部の接続関係は、図１０に示した接続関係に限られず、他の接続関係であってもよい。
【００８８】
なお、アプリ制御部４４は、広告配信端末５にインストールされているアプリケーションによって実行制御される。
【００８９】
表示制御部４５は、入力部４２によって受け付けられた各種操作に応じて、出力部４３に各種情報の表示制御を行う。また、表示制御部４５は、例えば、ユーザ情報を入力するためのアプリ専用の入力画面から入力されたユーザ情報を図示しない記憶部へ格納する。
【００９０】
受信部４６は、広告入札装置１００によって広告配信許可端末として特定された広告配信端末５から出力された音響信号を受信する。そして、受信部４６は、受信した音響信号に組み込まれた広告ＩＤと広告配信端末５のユーザＩＤとを特定し、取得部４７へ渡す。
【００９１】
取得部４７は、受信部４６から広告ＩＤとユーザＩＤとを受け付けた場合に、かかる広告ＩＤに対応する広告情報を広告配信装置２００から取得する。具体的には、取得部４７は、広告要求として、特定した広告ＩＤを広告配信装置２００へ送信する。これに対して、広告配信装置２００は、受信した広告ＩＤに対応する広告情報を、広告情報記憶部２２１から取得し、広告受信端末４０へ送信する。
【００９２】
こうして、取得部４７は、広告配信装置２００から取得した広告情報に含まれる広告データをプッシュ通知する。なお、このとき判定部４８によりプッシュ通知するか否かを判定されてもよい。この点について説明する。
【００９３】
図８に示すように、広告主は、配信ターゲットを設定することで、広告受信端末４０のユーザがその配信ターゲットを満たす場合に、自身の広告データをプッシュ通知するよう指定してもよい。例えば、取得部４７は、広告ＩＤ「Ｃ０１」に対応する広告情報を広告配信装置２００から取得したとする。このとき、判定部４８は、図示しない記憶部に記憶されているユーザ情報と、取得した広告情報に含まれる配信ターゲットとのマッチングを行う。例えば、広告受信端末４０にユーザ属性として「女性」が登録されている場合、判定部４８は、ユーザ属性が配信ターゲットを満たすことからプッシュ通知許可判定を下す。これにより、取得部４７は、プッシュ通知を行う。
【００９４】
〔３−１．広告入札処理フロー〕
次に、図１１を用いて、実施形態にかかる広告入札装置１００による広告入札処理について説明する。図１１は、実施形態にかかる広告入札装置１００による広告入札処理手順を示すシーケンス図である。
【００９５】
図１１に示すように、まず広告配信端末５は、所定のタイミングで内蔵されている各種機能（ＧＰＳ等）を利用してユーザの行動傾向を検出する（ステップＳ１０１）。ここで、広告入札装置１００は、広告配信端末５によって検出された行動傾向を取得する（ステップＳ１０２）。そして、広告入札装置１００は、広告配信端末５のユーザの所在地及び広告配信端末５から取得した行動傾向を広告主端末２０に提示することにより（ステップＳ１０３）、広告配信端末５のユーザの所在地の条件と、広告配信端末５のユーザの行動傾向の条件といった条件情報を含む入札情報を広告主端末２０から受け付ける（ステップＳ１０４）。
【００９６】
〔３−２．広告配信処理フロー〕
続いて、図１２を用いて、実施形態にかかる広告入札装置１００及び広告配信装置２００による広告配信処理について説明する。図１２は、実施形態にかかる広告入札装置１００及び広告配信装置２００による広告配信処理手順を示すシーケンス図である。
【００９７】
図１２に示すように、まず広告入札装置１００は、広告配信端末５のユーザの所在地を取得する（ステップＳ２０１）。そして、広告入札装置１００は、取得した広告配信端末５のユーザの所在地及び行動傾向と、広告主端末２０から受け付けた条件情報とのマッチングを行うことにより（ステップＳ２０２）、かかる条件情報を満たす広告配信端末５を広告配信許可端末として特定する。そして、広告入札装置１００は、特定した広告配信端末５に対応する条件情報及び広告情報を識別する広告ＩＤと、特定したユーザや広告配信端末５を識別するユーザＩＤとを対応付けて広告配信装置２００へ送信する（ステップＳ２０３）。
【００９８】
広告配信装置２００は、広告入札装置１００から受信した広告ＩＤを、広告入札装置１００から受信したユーザＩＤに対応する広告配信端末５に送信する（ステップＳ２０４）。そして、広告配信端末５は、受信した広告ＩＤと自身のユーザＩＤとを組み込んだ音響信号を出力する（ステップＳ２０５）。
【００９９】
広告配信端末５から所定の範囲内にある広告受信端末４０は、かかる音響信号を受信した場合に、音響信号に含まれる広告ＩＤを特定し（ステップＳ２０６）、特定した広告ＩＤに対応する広告データを広告配信装置２００から取得する（ステップＳ２０７）。そして、広告受信端末４０は、取得した広告データをプッシュ通知する（ステップＳ２０８）。
【０１００】
また、広告配信装置２００は、広告受信端末４０から広告配信端末５のユーザＩＤと、広告ＩＤを取得することによって（ステップＳ２０９）、ユーザＩＤに対して、広告受信端末４０に表示された広告情報の回数を広告ＩＤ毎にカウントする（ステップＳ２１０）。そして、広告配信装置２００は、表示回数に応じた報酬を広告配信端末５に与える（ステップＳ２１１）。
【０１０１】
〔４．変形例〕
上述した実施例にかかる広告入札装置１００は、上記実施形態以外にも種々の異なる形態にて実施されてよい。そこで、以下では、広告入札装置１００の他の実施例について説明する。
【０１０２】
〔４−１．位置関係に基づく出力〕
上述してきた広告入札装置１００の出力制御部１３４は、特定部１３３によって広告配信許可端末として特定された広告配信端末５と、広告受信端末４０との位置関係の変動態様に基づいて、異なる広告情報を出力させるよう制御してもよい。
【０１０３】
具体的には、出力制御部１３４は、広告配信端末５のユーザに近付くユーザと、遠ざかるユーザとで異なる広告情報を出力させるよう制御する。この場合、例えば、決定部１３３は、広告配信許可端末として特定した広告配信端末５のユーザ所在地と、かかる広告配信端末５から所定の範囲内に所在する広告受信端末４０のユーザの所在地との位置関係の推移を測定することで、近づくユーザと遠ざかるユーザを判定する。また、このとき広告入札装置１００は、各広告受信端末４０の端末ＩＤを取得する。なお、このような位置関係の推移測定は、決定部１３３以外の他の部位によって行われてもよい。
【０１０４】
そして、出力制御部１３４は、出力制御として、広告配信装置２００に対して、特定部１３３によって広告配信許可端末として特定された広告配信端末５に対応する条件情報の広告ＩＤと、かかる広告配信端末５のユーザＩＤとを送信すると共に、位置関係を判定した各広告受信端末４０の端末ＩＤも送信する。そして、広告配信装置２００は、広告配信端末５に受信した広告ＩＤを送信すると共に、受信した各広告受信端末４０の端末ＩＤも送信する。
【０１０５】
そして、広告配信端末５は、例えば、異なる複数の広告ＩＤを受け付けていれば、音響信号を出力する際に、各端末ＩＤに異なる広告ＩＤを出力する。
【０１０６】
このように、広告入札装置１００は、広告配信端末５のユーザと広告受信端末４０のユーザとの位置関係に応じて広告情報を出し分ける。これにより、広告入札装置１００は、一度に複数の広告を出力することができるため、より広告効率を高めることができる。
【０１０７】
〔４−２．距離関係に基づく出力〕
上述してきた広告入札装置１００の出力制御部１３４は、特定部１３３によって広告配信許可端末として特定された広告配信端末５と、広告受信端末４０との距離関係に基づいて、異なる広告情報を出力させるよう制御してもよい。
【０１０８】
基本的な処理は、上記位置関係に基づく出力に準ずる。つまり、決定部１３３は、広告配信許可端末として特定した広告配信端末５のユーザ所在地と、かかる広告配信端末５から所定の範囲内に所在する広告受信端末４０のユーザの所在地との距離を測定する。また、このとき広告入札装置１００は、各広告受信端末４０の端末ＩＤを取得する。そして、出力制御部１３４は、決定部１３３によって測定された距離に基づいて、異なる広告情報を出力するよう制御する。例えば、出力制御部１３４は、広告配信端末５のユーザと１メートル離れているユーザの端末装置にはＹ社の広告情報を出力するよう制御し、２メートル離れているユーザの端末装置にはＫ社の広告情報を出力するよう制御する。また、他の例では、広告配信端末５は、広告受信端末４０が所定の距離よりも近い場合には、所定のクーポンを配信し、広告受信端末４０が所定の距離よりも離れている場合は、広告配信端末５に近づくとクーポンが配信される旨のプッシュ通知を配信してもよい。
【０１０９】
また、広告配信端末５は、広告受信端末４０が遠ざかっているか近づいているかに応じて、配信する情報を出しわけてもよい。例えば、広告配信端末５は、広告受信端末４０が近づいている場合には、Ｙ社の広告情報を出力し、広告受信端末４０が遠ざかっている場合は、Ｋ社の広告情報を出力してもよい。
【０１１０】
〔４−３．行動傾向提示〕
上述してきた広告入札装置１００の入札受付部１３２は、行動傾向記憶部１２１に記憶される各広告配信端末５の行動情報をそのまま提示する例を示した。しかし、入札受付部１３２は、行動傾向を様々なカテゴリに分類し、各カテゴリ毎に行動傾向を選択可能とすることで、広告主に対して条件情報をより設定し易くしてもよい。
【０１１１】
具体的には、入札受付部１３２は、例えば、性格に関する行動傾向、生活・習慣に関する行動傾向、趣味・嗜好に関する行動傾向といったカテゴリを設定し、それぞれのカテゴリ中から具体的な行動傾向を選択させる。
【０１１２】
入札受付部１３２は、性格に関する行動傾向からは、例えば、「優柔不断、せっかち、落ち着いている」といった行動傾向を選択できるようにする。また、生活・習慣に関する行動傾向からは、例えば、「ＡＡ線を利用している、毎日運動する、コンビニによく行く」といった行動傾向を選択できるようにする。また、趣味・嗜好に関する行動傾向からは、例えば、「ドライブすることが多い、頻繁に洋服を買う、毎日ソーシャルゲームしている」といった行動傾向を選択できるようにする。このように、入札受付部１３２は、各カテゴリ別に様々な行動傾向を選択可能にする。
【０１１３】
なお、ここで提示される行動傾向は、広告入札装置１００によって予め作成された広告主端末２０への提示用の行動傾向であってよい。つまり、広告入札装置１００は、各地の広告配信端末５から行動傾向を取得することにより、代表的な行動傾向を予め検討しておく。例えば、「頻繁に洋服を買う」といった行動傾向が所定数以上取得できた場合には、かかる行動傾向を提示用の行動傾向として設定する。また、「毎日ジョギングする」、「週末は野球をする」といったように、所定の分野に関するピンポイントな行動傾向が多数取得できた場合には、「頻繁に運動する」といった概念的な提示用の行動傾向を設定してもよい。
【０１１４】
こうして、広告入札装置１００は、予め設定した各行動傾向別に対応する広告配信端末５を分類して記憶してゆく。例えば、取得部１３１は、各地の広告配信端末５から行動傾向を取得した際に、上記設定した提示用行動傾向に当てはまる行動傾向を有する広告配信端末５のユーザＩＤを割り当ててゆく。
【０１１５】
これにより、特定部１３３は、提示用行動傾向のうち広告主に選択された行動傾向に対応する広告配信端末５が、さらに、広告主により選択された所在地も満たしていれば、かかる広告配信端末５を広告配信許可端末として特定する。
【０１１６】
〔４−４．移動予定に基づく入札と配信〕
上記実施形態では、広告入札装置１００は、広告配信端末５から取得した行動傾向及び配信場所となる広告配信端末５のユーザの所在地を提示することにより、広告主から入札を受け付ける例を示した。しかし、広告入札装置１００は、条件情報として所在地若しくは時刻の条件のうち少なくとも何れか一方を満たすユーザまたは広告配信端末５を特定してもよい。例えば、広告入札装置１００は、広告配信端末５のユーザに移動予定を登録させ、登録された移動予定を提示することにより、広告主からかかる条件情報の入札を受け付ける。そして、広告入札装置１００は、受け付けた入札情報に基づいて、広告配信に関する出力制御を行う。この点について図１３を用いて説明する。図１３は、変形例にかかる配信処理の一例を示す図である。
【０１１７】
最初に、入札に関する処理について説明する。図１３に示すように、広告配信端末５のユーザは、広告入札装置１００に移動予定を登録する（ステップＳ３１）。登録作業は、例えば、所定のアプリを用いて行われてもよいし、ＳＮＳ（Social  Networking  Service）を用いて行われてもよい。
【０１１８】
ここでは、広告入札装置１００は、広告配信端末５のユーザによって、以下のような行動予定を含む登録情報を受け付けたとする。具体的には、「移動日：２０１４年８月１４日、移動予定：恵比寿（１０：００〜１１：００）−原宿（１１：１５〜１２：１５）−代々木（１２：３０〜１３：３０）、性別年齢：男（２２）」といった登録情報である。
【０１１９】
そして、広告入札装置１００は、広告配信端末５から受け付けた移動予定に関する登録情報を提示することにより（ステップＳ３２）、移動予定に含まれる場所及び時刻への入札を広告主端末２０から受け付ける（ステップＳ３３）。場所は、広告配信端末５のユーザの立ち寄り予定場所である。時刻は、広告配信端末５のユーザの立ち寄り予定場所での滞在時刻である。例えば、広告入札装置１００は、広告主端末２０から「場所：恵比寿、時刻：１０：３０〜１０：４５」といった配信条件で入札を受け付けたとする。
【０１２０】
なお、広告入札装置１００は、入札により広告情報（音声データやプッシュ情報等を含む）も広告主端末２０から受け付け、受け付けた広告情報は広告配信装置２００へ送信する。
【０１２１】
次に、広告配信に関する処理について説明する。広告入札装置１００は、広告配信端末５に広告主端末２０から受け付けた広告情報を出力させるための出力制御を行う。具体的には、広告入札装置１００は、広告主端末２０から受け付けた配信条件及びその識別ＩＤとを広告配信装置２００へ送信する（ステップＳ３４）。具体的には、広告入札装置１００は、広告主端末２０から受け付けた配信条件「場所：恵比寿、時刻：１０：３０〜１０：４５」を識別ＩＤと共に送信する。
【０１２２】
広告配信装置２００は、広告入札装置１００から受信した配信条件と識別ＩＤとを対応付けて所定の記憶部に格納しておく（ステップＳ３５）。そして、広告配信装置２００は、配信条件に含まれる時刻において、広告配信端末５のユーザの所在地を取得する（ステップＳ３６）。ここで、広告配信装置２００は、取得した所在地と、配信条件に含まれる場所とのマッチングを行い、両者が一致すれば、広告配信端末５に対して、かかる配信条件の識別ＩＤを送信する（ステップＳ３７）。具体的には、広告配信装置２００は、配信条件「場所：恵比寿、時刻：１０：３０〜１０：４５」に基づき、例えば、１０：３０において、広告配信端末５のユーザの所在地を取得する。ここで、広告配信装置２００は、広告配信端末５のユーザが恵比寿に所在している確認が取れた場合には、広告配信端末５へ識別ＩＤを送信する。
【０１２３】
広告配信端末５は、広告配信装置２００から識別ＩＤを受信した場合に、受信した識別ＩＤを組み込んだ音響信号を出力する（ステップＳ３８）。ここで、広告配信端末５から所定の範囲内にある広告受信端末４０は、かかる音響信号を受信した場合に、音響信号に含まれる識別ＩＤを特定し、特定した識別ＩＤに対応する広告情報を広告配信装置２００から取得する（ステップＳ３９）。そして、広告受信端末４０は、受信した広告情報をプッシュ通知する（ステップＳ４０）。
【０１２４】
上述してきた、移動予定に基づく入札及び配信処理は、広告入札装置１００によって全て行われてもよい。つまり、広告入札装置１００と広告配信装置２００は、一体化されていてもよい。また、位置情報のマッチングは、広告配信端末５によって行われてもよい。この場合は、広告入札装置１００または広告配信装置２００によって、予め広告配信端末５へ配信条件及び識別ＩＤが送信されている必要がある。
【０１２５】
また、配信条件通りに広告情報が配信されるためには、広告配信端末５のユーザが、自身が登録した移動予定に基づいた行動を行う必要がある。このために、例えば、広告入札装置１００の管理者は、このように移動する広告媒体役となるユーザをアルバイトとして雇う等の工夫を行う。
【０１２６】
このように、広告入札装置１００は、広告配信端末５のユーザによって登録された移動予定を、広告主に提示することにより入札を受け付ける。そして、広告入札装置１００は、配信条件に含まれる場所に関する条件及び時刻に関する条件と、移動予定とが一致した場合に、広告を出力するよう制御する。これにより、広告入札装置１００は、広告主の望む場所と時間において広告情報を配信することができる。
【０１２７】
〔４−５．音声出力〕
上述してきた広告入札装置１００の出力制御部１３４は、広告情報に関する情報を非可聴な音響信号に含めて出力させるよう制御する例を示したが、出力制御部１３４は、可聴な音声を出力させるよう制御してもよい。この場合は、広告入札装置１００は、広告主から広告情報に関する音声データを受け付ける。また、図１を用いて説明すると、ステップＳ１７において、広告配信装置２００は、広告ＩＤを広告配信端末５へ送信するのではなく、広告ＩＤに対応する音声データを送信する。そして、広告配信端末５は受信した音声を出力する。
【０１２８】
このように、広告配信端末５は、音声を出力することにより、周囲の広告受信端末４０へコンピュータウイルスを配布してしまう危険性を無くすことができるといったメリットがある。例えば、音響信号やＷｉ−Ｆｉ（登録商標）出力の場合、広告配信端末５が何らかのコンピュータウイルスに侵害されていたとすると、広告受信端末４０は音響信号と共にコンピュータウイルスを受信してしまう可能性があるが、音声出力の場合、このような危険性が無い。
【０１２９】
〔４−６．その他の出力〕
上記実施形態において、広告配信端末５は、広告入札装置１００の出力制御部１３４による出力制御に基づいて、非可聴な音響信号や可聴な音声を出力する例を示したが、Ｗｉ−Ｆｉ、無線ＬＡＮ、ブルートゥース（登録商標）等、任意の近距離無線通信技術を利用して広告情報に関する情報を出力してもよい。これにより、広告配信端末５から出力された情報は、ＷｉＦｉアクセスポイントを経由することで、音響信号や音声よりも広範囲に伝達させられる。
【０１３０】
〔４−７．装置構成〕
上記実施形態では、配信システム１に、広告入札装置１００と広告配信装置２００とが含まれる例を示したが、広告入札装置１００と広告配信装置２００とは１個の配信装置として形成されてもよい。具体的には、図１及び図１２に示した広告配信処理が広告入札装置１００によって行われてもよい。この場合、広告入札装置１００は、広告配信装置２００の広告情報記憶部２２１と、配信実績記憶２２２と、算定部２３３とを、さらに有する。
【０１３１】
〔４−８．広告効果分析〕
上述してきた実施形態にかかる広告入札装置１００は、セールスロジックを検証するために、閲覧効果や誘導効果を算出し、算出結果を広告主にレポートしてもよい。
【０１３２】
ここで、各効果の算出方法について説明する。例えば、ｎ次配信可能エリア内の人数を「Ｘｎ（人）」、ｎ次配信時の受信者数を「Ｙｎ（人）」、ｎ次配信時のクリック者数を「Ｐｎ（人）」、公式アプリダウンロード率を「Ｚ（％）」とする。かかる場合、ｎ次配信による閲覧効果を以下の式（１）で算出することができる。
【０１３３】
ｎ次配信による閲覧効果（ＰＶｎ）＝Ｙｎ÷（Ｘｎ×Ｚ）×１００２（％）…（１）
【０１３４】
また、かかる場合、ｎ次配信による誘導効果を以下の式（２）で算出することができる。
【０１３５】
ｎ次配信による誘導効果（ＣＴＲｎ）＝Ｐｎ÷（Ｙｎ×Ｚ）×１００２（％）…（２）
【０１３６】
〔４−９．端末装置に関する条件情報の受付〕
上述してきた実施形態にかかる広告入札装置１００は、ユーザの所在地に関する条件や、ユーザの行動傾向に関する条件といったように、ユーザに関する条件情報を受け付ける例を示した。しかし、端末装置に関する条件を示す条件情報を受け付けてもよい。とりわけ、上記実施形態にかかる広告配信端末５は、スマートフォン等ユーザが常に所持している携帯型端末を想定している。このため、ユーザの所在地は、広告配信端末５から取得される位置情報に対応する。しかしながら、広告配信端末５は、ユーザの自宅等にあるデスクトップ型ＰＣ等ユーザが常に所持しているわけではない端末装置であってもよい。つまり、広告入札装置１００は、ユーザに関する条件情報ではなく、このような端末装置に関する条件情報を受け付けてもよい。具体的には、広告入札装置１００は、かかる端末装置の位置情報や位置傾向を広告主に提示することにより、広告主は、かかる端末装置の位置情報に関する条件や位置傾向に関する条件を入札する。なお、位置情報とは、広告入札装置１００によってリアルタイムに取得された現在位置であってよい。また、位置傾向とは、広告入札装置１００によって定期的に位置情報を取得されることにより、一定期間以上位置する場所であってよい。
【０１３７】
〔４−１０．配信対象〕
上記実施形態では、配信対象を広告情報とした例を示したが、例えば、ＵＲＬやクーポン等広告情報以外であってもよい。
【０１３８】
〔４−１１．配信スケジュール〕
上記実施形態における配信処理は、配信スケジュールに基づいて行われてもよい。この場合、例えば、広告配信装置２００は、予め配信スケジュールを所定の記憶部に記憶しておく。そして、広告配信装置２００は、図１のステップＳ１７に示すように、広告入札装置１００から受信した広告ＩＤを広告配信端末５に送信する際に、かかる配信スケジュールも送信する。
【０１３９】
ここで、上記実施形態では、広告配信端末５は、広告ＩＤの受信をきっかけに音響信号の出力を行う例を示したが、配信スケジュールを共に受け付けることにより、その配信スケジュールに基づいて音響信号を出力する。つまり、広告配信端末５は、広告ＩＤの受信をきっかけに音響信号を出力するのではなく、例えば、内蔵されているタイマーが配信スケジュールとして設定されている時刻に一致した場合に、音響信号を出力する。なお、実施形態において、広告配信端末５が出力するのは音響信号に限られず、例えば、音声であってもよい。この点については、後に詳述もしている。
【０１４０】
これにより、上記実施形態にかかる広告入札装置１００及び広告配信装置２００は、例えば、広告配信端末５に対して、通信の悪い地下環境であっても広告情報を出力するよう制御することができる。例えば、広告情報が音声データである場合には、広告配信端末５は、通信環境の良い地点で予め音声データを受け付けてさえいれば、配信スケジュールに基づく時刻に、地下環境に位置していたとしても、既に音声データを受け付けているためそれを出力することができる。
【０１４１】
ここで、広告配信端末５は、出力する音声データや無線通信データ等の広告情報をあら任意のタイミングで任意のサーバから取得し、予め記憶してもよい。例えば、広告配信端末５は、広告情報を広告入札装置１００、広告配信装置２００から取得し、取得した広告情報を記憶し、配信スケジュールに基づいて、記憶した広告を出力してもよい。また、他の例では、広告配信端末５は、配信する広告情報のデータが含まれるアプリのダウンロードとインストールを行い、広告配信装置２００から通知された広告ＩＤと対応する広告情報を出力してもよい。また、広告配信端末５は、所定のタイミングで、アプリに含まれる広告情報のアップデートを行ってもよい。また、広告配信端末５が広告受信端末４０に配信する情報は、上述した例に限定されるものではなく、例えば、広告配信端末５は、広告に関連する画像、動画、テキスト等、任意のコンテンツを配信してもよい。
【０１４２】
〔４−１２．二次配信〕
また、上記実施形態にかかる広告受信端末４０は、広告配信端末５から受信した広告ＩＤを用いて広告配信装置２００から取得した広告情報をプッシュ通知する例を示した。ここで、広告受信端末４０は、広告情報の二次配信を行ってもよい。具体的には、広告受信端末４０は、広告配信端末５から受信した広告ＩＤや広告情報を、さらに、他の端末装置に配信するといった二次配信を行ってもよい。また、広告受信端末４０は、広告配信端末５と同様に、任意の配信手法を用いて二次配信を行うことができる。例えば、広告配信端末５は、Ｗｉ−Ｆｉ等の近距離無線通信技術を用いて広告情報を配信し、広告受信端末４０は、配信された広告情報を音声や音響信号等で周囲の端末装置に二次配信を行ってもよい。
【０１４３】
〔４−１３．広告ＩＤと対応付けられたリストの存在〕
また、上記実施形態にかかる広告受信端末４０は、広告ＩＤと広告に関連するウェブページのＵＲＬとが対応付けられたリストを有し、受信した広告ＩＤと対応付けられたＵＲＬに対してアクセスを行うことで、広告を表示してもよい。また、上記実施形態にかかる広告受信端末４０は、広告ＩＤと広告情報を所定の記憶部から呼び出すためのアドレスやコマンド等が対応付けられたリストを有し、受信した広告ＩＤに対応するアドレスに記録された広告を表示してもよい。これにより、広告受信端末４０は、通信できない環境であっても広告情報を取得することが可能となります。
【０１４４】
〔４−１４．プログラム〕
また、上述してきた各実施形態にかかる広告入札装置１００及び広告配信装置２００は、例えば図１３に示すような構成のコンピュータ１０００によって実現される。以下、広告入札装置１００を例に挙げて説明する。図１３は、広告入札装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１４５】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４６】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１４７】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１４８】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４９】
例えば、コンピュータ１０００が実施形態にかかる広告入札装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１５０】
〔４−１５．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１５１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５２】
また、上述してきた各実施形態は、処理内容を矛盾させない範囲で適宜組み合わせることが可能である。
【０１５３】
〔５．効果〕
上述してきたように、実施形態にかかる広告入札装置１００は、特定部１３３と、出力制御部１３４とを有する。特定部１３３は、広告情報を配信させるユーザまたは端末装置に関する条件情報を満たすユーザまたは端末装置を特定する。出力制御部１３４は、特定部１３３によって特定された端末装置を制御し、他の端末装置に対して前記条件情報に対応する配信情報を配信させる。
【０１５４】
これにより、実施形態にかかる広告入札装置１００は、広告主が望む相手に広告が配信され易くすることができるため、広告効果を高めることができる。例えば、広告入札装置１００は、広告主の希望に沿う配信先ではなく、広告主の希望に沿う配信先が周囲に存在すると予測される利用者を広告主に提示し、かかる利用者に広告を配信させる２段階のマッチング処理を行う。このため、広告入札装置１００は、広告主の希望に沿う配信先を予測するといった煩雑な処理を行わずとも、広告主の希望に沿う配信先に対して、広告を配信することができる。
【０１５５】
また、実施形態にかかる特定部１３３は、前記条件情報として受け付けられた行動傾向の条件を満たすユーザを特定する。
【０１５６】
これにより、実施形態にかかる広告入札装置１００は、広告主が望む相手に広告が配信され易くすることができるため、広告効果を高めることができる。
【０１５７】
また、実施形態にかかる広告入札装置算定部２３３は、特定部１３３によって特定されたユーザ、または、特定された端末装置のユーザに対する所定の報酬を算定する。
【０１５８】
これにより、実施形態にかかる広告入札装置１００は、広告情報の配信を行った端末装置のユーザに対して、報酬を与えることができる。
【０１５９】
また、実施形態にかかる算定部２３３は、特定部１３３によって特定されたユーザが使用する端末装置、または、特定された端末装置が配信情報を配信した回数、または、配信情報の配信を受け付けた他の端末装置の台数、または、配信情報の視聴回数の何れかに基づいて、特定部１３３によって特定されたユーザまたは特定された端末装置を使用するユーザへの報酬を算定する。
【０１６０】
これにより、実施形態にかかる広告入札装置１００は、端末装置のユーザに対して、広告情報をより多くのユーザに配信しようとする動機付けを与えることができる。また、これにより、例えば、端末装置のユーザが様々な場所を移動したとすると、広告入札装置１００は、広告効果を高められることになる。
【０１６１】
また、実施形態にかかる出力制御部１３４は、特定部１３３によって特定されたユーザが使用する端末装置、または、特定された端末装置と、当該端末装置が配信情報を配信する他の端末装置との位置関係の変動態様に基づいて、異なる配信情報を出力させるよう制御する。
【０１６２】
これにより、実施形態にかかる広告入札装置１００は、複数の広告を一度に出し分けることができるため、広告効果を高めることができる。
【０１６３】
また、実施形態にかかる特定部１３３は、条件情報として受け付けられた所在地若しくは時刻の条件のうち少なくとも何れか一方を満たすユーザまたは端末装置を特定する。
【０１６４】
これにより、実施形態にかかる広告入札装置１００は、広告主が希望する場所において、広告情報を配信することができる。
【０１６５】
特定部１３３は、ユーザによって予め決められている移動予定に基づいて、入札受付部１３２によって受け付けられた条件情報を満たすユーザを特定する。
【０１６６】
これにより、実施形態にかかる広告入札装置１００は、広告主の希望する場所と時間において、広告を配信することができる。また、広告入札装置１００は、広告設備への投資も削減することができる。
【０１６７】
また、実施形態にかかる出力制御部１３４は、配信情報として、可聴な音声を出力させるよう制御する。
【０１６８】
これにより、実施形態にかかる広告入札装置１００は、特定部１３３によって特定された端末装置のユーザ周辺の他ユーザに対して、一方的に広告の内容を聞かせることができるため、広告効果を高めることができる。
【０１６９】
また、実施形態にかかる出力制御部１３４は、配信情報として、配信対象に関する情報を含む非可聴な音響信号を出力させるよう制御する。
【０１７０】
これにより、実施形態にかかる広告入札装置１００は、ユーザの端末装置に直接広告を提供することができる。
【０１７１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７２】
また、上述してきた「部（section、module、unit）」は、「手段」や「回路」などに読み替えることができる。例えば、特定部は、特定手段や特定回路に読み替えることができる。
【符号の説明】
【０１７３】
５  広告配信端末
１０  行動傾向記憶部
１１  アプリ制御部
１３  検出部
１５  出力部
４０  広告受信端末
４４  アプリ制御部
４６  受信部
４７  取得部
４８  判定部
１００  広告入札装置
１２１  行動傾向記憶部
１２２  入札情報記憶部
１３０  制御部
１３１  取得部
１３２  入札受付部
１３３  特定部
１３４  出力制御部
２００  広告配信装置
２２１  広告情報記憶部
２２２  配信実績記憶部
２３０  制御部
２３１  受信部
２３２  送信部
２３３  算定部
【図１】
0006334286.tif 000002
【図２】
0006334286.tif 000003
【図３】
0006334286.tif 000004
【図４】
0006334286.tif 000005
【図５】
0006334286.tif 000006
【図６】
0006334286.tif 000007
【図７】
0006334286.tif 000008
【図８】
0006334286.tif 000009
【図９】
0006334286.tif 000010
【図１０】
0006334286.tif 000011
【図１１】
0006334286.tif 000012
【図１２】
0006334286.tif 000013
【図１３】
0006334286.tif 000014
【図１４】
0006334286.tif 000015